(57)【要約】【課題】従来は交換システムに対する認証を受けることによりローミングが許容されているため、携帯通信端末に特別な音声通話ソフトをインストールする必要がある。また、携帯通信端末からの認証変換が比較的複雑である。【解決手段】携帯通信端末１１０は短距離無線通信可能な構成であり、携帯電話ネットワーク内音声交換システム１２５に接続可能である。また、携帯通信端末１１０はクライアント端末１４０で使用している音声通話ソフトの周辺機器として動作する。クライアント端末１４０も短距離無線通信可能な構成である。これにより、携帯通信端末１１０には特別な音声通話ソフトをインストールすることなく、また、携帯通信端末１１０にクライアント端末１４０とは別個の内線番号を持たせることなく、携帯電話ネットワーク１２０から構内ネットワーク１３０へのローミングを実現することができる。【選択図】図１
2008306415.tif 000002
【特許請求の範囲】
【請求項１】
携帯電話ネットワークから構内ネットワークへローミングする音声通信システムであって、
短距離無線通信機能を備えた携帯通信端末と、
前記構内ネットワーク内に設けられており、前記短距離無線通信機能を備えたクライアント端末と
を有し、前記構内ネットワークは、前記携帯通信端末が前記携帯電話ネットワークを介して相手端末と通話中に、前記携帯通信端末を検出した前記クライアント端末からの接続要求に基づいて、公衆通信網を介して前記携帯電話ネットワークに対してローミングを要求する要求手段を備え、
前記構内ネットワークは、前記ローミング要求により、前記携帯電話ネットワークから前記公衆通信網を介して前記構内ネットワークへローミングを行い、前記クライアント端末をローミング先として指定する手段を備え、
ローミング先として指定された前記クライアント端末と前記携帯通信端末との間で前記短距離無線通信回線を確立し、前記携帯通信端末を前記構内ネットワークを介して前記相手端末との通話を継続させることを特徴とする音声通信システム。
【請求項２】
携帯通信端末が携帯電話ネットワークを介して相手端末と通話中に、構内ネットワークにローミングして、該構内ネットワークのクライアント端末を介して前記相手端末との通話に切り替えて該通話を継続する音声通信システムであって、
前記携帯通信端末は、前記クライアント端末と短距離無線通信方式で無線通信する第１の無線通信手段を備え、
前記携帯電話ネットワークは、
前記携帯通信端末と相手端末との間の通信回線を確立する手段と、前記構内ネットワークからのローミング要求を公衆通信網を介して受信する要求受信手段と、前記ローミング要求に従い、前記携帯通信端末と相手端末との間の通話状況を検出し、前記構内ネットワークへローミングする手段とからなる第１の音声交換システムを備え、
前記構内ネットワークは、
前記クライアント端末からの前記携帯通信端末に対する接続要求を行っていることを示す情報を受信したときに、前記ローミング要求を前記公衆通信網を介して前記携帯電話ネットワークへ送信する送信手段と、前記携帯電話ネットワークからのローミングに従い、ローミング先を前記クライアント端末に指定する指定手段とを備えた第２の音声交換システムと、
前記携帯通信端末に対して接続要求を前記短距離無線通信方式で無線送信する接続要求送信手段と、前記第２の音声交換システムへ前記接続要求を行っていることを通知する通知手段と、前記ローミング先の指定を受けて前記携帯通信端末との間の短距離無線通信方式の無線通信回線を確立する手段とを備えた前記クライアント端末と
を備え、ローミング先として指定された前記クライアント端末と前記携帯通信端末との間で前記無線通信回線を確立し、前記携帯通信端末を前記クライアント端末、前記第２の音声交換システム及び前記公衆通信網を介して前記相手端末との通話を継続させることを特徴とする音声通信システム。
【請求項３】
前記第２の音声交換システムの前記送信手段は、前記ローミング要求のために、前記公衆通信網を介して前記携帯電話ネットワークへ接続招待状況情報を送信することを特徴とする請求項２記載の音声通信システム。
【請求項４】
前記第１の音声交換システムは、前記構内ネットワークへローミング後、前記携帯通信端末からの回線切断要求に従い、前記携帯通信端末と前記携帯電話ネットワークを介しての前記相手端末との通話回線を切断する手段を更に有することを特徴とする請求項２又は３記載の音声通信システム。
【請求項５】
前記短距離無線通信方式は、ＩＥＥＥ８０２.１５.１として標準化されている通信方式であることを特徴とする請求項２乃至４のうちいずれか一項記載の音声通信システム。
【請求項６】
携帯電話ネットワークから構内ネットワークへローミングする音声通信方法であって、
前記携帯電話ネットワークを介して相手端末と通話中の携帯通信端末を、前記構内ネットワーク内のクライアント端末にて検出する第１のステップと、
前記携帯通信端末を検出した前記クライアント端末からの接続要求に基づいて、公衆通信網を介して前記携帯電話ネットワークに対してローミングを要求する第２のステップと、
前記ローミング要求に従い、前記クライアント端末をローミング先として指定したローミングを行う第３のステップと、
前記ローミング先として指定された前記クライアント端末と前記携帯通信端末との間で短距離無線通信方式による通信回線を確立する第４のステップと、
前記第４のステップによる通信回線確立後に前記携帯通信端末と前記相手端末との通話を、前記クライアント端末を有する前記構内ネットワークを介して継続させる第５のステップと
を含むことを特徴とする音声通信方法。
【請求項７】
携帯通信端末が携帯電話ネットワークを介して相手端末と通話中に、構内ネットワークにローミングして、該構内ネットワークのクライアント端末を介して前記相手端末との通話に切り替えて該通話を継続する音声通信方法であって、
前記携帯電話ネットワーク及び公衆通信網を介して相手端末と通話中の携帯通信端末を、前記構内ネットワーク内のクライアント端末にて検出する第１のステップと、
前記携帯通信端末を検出した前記クライアント端末が短距離無線通信方式で接続要求を行う第２のステップと、
前記第２のステップで前記クライアント端末から前記携帯通信端末に対する接続要求を行っているときに、前記公衆通信網を介して前記携帯電話ネットワークに対してローミングを要求する第３のステップと、
前記ローミング要求に従い、前記携帯電話ネットワークを介しての前記携帯通信端末と前記相手端末との間の通話状況を検出し、前記構内ネットワークへローミングする第４のステップと、
前記構内ネットワークへのローミングに従い、ローミング先を前記クライアント端末に指定する第５のステップと、
前記ローミング先の指定を受けて前記携帯通信端末との間の前記短距離無線通信方式の通信回線を確立する第６のステップと、
前記第６のステップによる通信回線確立後に前記携帯通信端末と前記相手端末との通話を、前記クライアント端末を有する前記構内ネットワークを介して継続させる第７のステップと
を含むことを特徴とする音声通信方法。
【請求項８】
前記第２のステップは、前記ローミング要求のために、前記公衆通信網を介して前記携帯電話ネットワークへ接続招待状況情報を送信することを特徴とする請求項７記載の音声通信方法。
【請求項９】
前記構内ネットワークへローミング後、前記携帯通信端末からの回線切断要求に従い、前記携帯通信端末と前記携帯電話ネットワークを介しての前記相手端末との通話回線を切断するステップを更に有することを特徴とする請求項７又は８記載の音声通信方法。
【請求項１０】
前記短距離無線通信方式は、ＩＥＥＥ８０２.１５.１として標準化されている通信方式であることを特徴とする請求項７乃至９のうちいずれか一項記載の音声通信方法。
【発明の詳細な説明】
【技術分野】
【０００１】
本発明は音声通信システム及び音声通信方法に係り、特に携帯電話ネットワークから構内ネットワークへのローミングを行う音声通信システム及び音声通信方法に関する。
【背景技術】
【０００２】
携帯電話ネットワークと無線ネットワーク間でローミングする方法が知られている（例えば、特許文献１、特許文献２参照）。特許文献１記載のローミング方法では、無線ネットワークを検出するステップと、無線ネットワークに携帯通信端末のインターネットプロトコルアドレスについて照会するステップと、インターネットプロトコルアドレスを受信するステップと、モバイルネットワーク制御チャネルを使用して、携帯電話ネットワークの移動交換局にメッセージを送信するステップであって、前記メッセージが移動交換局に携帯通信端末向けの音声データを、通信可能にリンクされたゲートウェイおよび無線ネットワークを介して、インターネットプロトコルアドレスに経路指定するように命令するステップとを含む。
【０００３】
また、特許文献２記載のローミング方法では、例えば、携帯電話ネットワークと無線ネットワークの両方を介して通信できるように構成された携帯通信端末の、ストリーミングセッションを使用して、無線ネットワークを介して実施される確立された通話時に、携帯電話ネットワークからの信号を検出するステップと、携帯電話ネットワークから受信された前記信号の強度の測定値を、無線ネットワークから受信された信号の強度の測定値と比較するステップと、比較するステップに従って、無線ネットワークから携帯電話ネットワークへの通話のハンドオーバーを開始するステップとを含む。
【０００４】
【特許文献１】特開２００５−１８４８０８号公報
【特許文献２】特開２００５−１８４８２０号公報
【発明の開示】
【発明が解決しようとする課題】
【０００５】
特許文献１、２記載のローミングは、米国電気電子技術者協会（ＩＥＥＥ）による８０２.１１、８０２.１５.３のプロトコルに従い、無線ネットワークと携帯電話ネットワークとの間で行われている。ローミングサービスでは、ローミング元とローミング先の双方ともネットワーク内の認証サーバへアクセスし、交換システムに対する認証を受けることによりローミングが許容されている。このため、それぞれの認証に対応したシステムが携帯通信端末側に必要であり、また、それぞれの音声通信システムに対応した音声通話ソフトが携帯通信端末側に必要である。すなわち、上記の認証のためには携帯通信端末に特別な音声通話ソフトをインストールする必要がある。
【０００６】
また、携帯通信端末は携帯電話ネットワークへの接続及び、ＩＥＥＥ８０２.１１、８０２.１５.３、８０２.１６の無線ネットワークへの接続が可能なデバイスである必要があり、携帯通信端末からの認証変換が比較的複雑である。
【０００７】
本発明は以上の点に鑑みなされたもので、携帯通信端末からの認証変換が容易で、ローミングさせる携帯通信端末の選択に限定を無くし、携帯電話ネットワークから構内ネットワークへのローミングを行い得る音声通信システム及び音声通信方法を提供することを目的とする。
【０００８】
また、本発明の他の目的は、携帯通信端末に音声通信システムに対応した特別な音声通話ソフトをインストールことなく、携帯電話ネットワークから構内ネットワークへのローミングを行い得る音声通信システム及び音声通信方法を提供することにある。
【課題を解決するための手段】
【０００９】
上記の目的を達成するため、本発明の音声通信システムは、携帯電話ネットワークから構内ネットワークへローミングする音声通信システムであって、
短距離無線通信機能を備えた携帯通信端末と、構内ネットワーク内に設けられており、短距離無線通信機能を備えたクライアント端末とを有し、構内ネットワークは、携帯通信端末が携帯電話ネットワークを介して相手端末と通話中に、携帯通信端末を検出したクライアント端末からの接続要求に基づいて、公衆通信網を介して携帯電話ネットワークに対してローミングを要求する要求手段を備え、構内ネットワークは、ローミング要求により、携帯電話ネットワークから公衆通信網を介して構内ネットワークへローミングを行い、クライアント端末をローミング先として指定する手段を備え、ローミング先として指定されたクライアント端末と携帯通信端末との間で短距離無線通信回線を確立し、携帯通信端末を構内ネットワークを介して相手端末との通話を継続させることを特徴とする。
【００１０】
また、上記の目的を達成するため、第２の発明は携帯電話ネットワークから構内ネットワークへローミングする音声通信方法であって、
携帯電話ネットワークを介して相手端末と通話中の携帯通信端末を、構内ネットワーク内のクライアント端末にて検出する第１のステップと、携帯通信端末を検出したクライアント端末からの接続要求に基づいて、公衆通信網を介して携帯電話ネットワークに対してローミングを要求する第２のステップと、ローミング要求に従い、クライアント端末をローミング先として指定したローミングを行う第３のステップと、ローミング先として指定されたクライアント端末と携帯通信端末との間で短距離無線通信方式による通信回線を確立する第４のステップと、第４のステップによる通信回線確立後に携帯通信端末と相手端末との通話を、クライアント端末を有する構内ネットワークを介して継続させる第５のステップとを含むことを特徴とする。
【発明の効果】
【００１１】
本発明によれば、携帯端末へ特別な音声通話ソフトをインストールすることなく、また、携帯電話端末にクライアント端末とは別個の内線番号を持たせることなく、携帯電話ネットワークからのローミングを実現することができる。
【発明を実施するための最良の形態】
【００１２】
次に、本発明を実施するための最良の形態について図面と共に説明する。図１は本発明になる音声通信システムの一実施例のシステム構成図を示す。同図に示すように、本実施例の音声通信システムは、携帯電話ネットワーク１２０、構内ネットワーク１３０、携帯通信端末１１０及び公衆通信網２００からなる。携帯電話ネットワーク１２０は携帯電話ネットワーク内音声交換システム１２５を有する。構内ネットワーク１３０はＶｏＩＰ（Voice over IP）ゲートウェイを含む構内音声交換システム１３５と、ブルーツース（Bluetooth）対応のクライアント端末（ＰＣ）１４０とを含む。
【００１３】
クライアント端末（ＰＣ）１４０は、構内音声交換システム１３５に対応した音声通話ソフトを使用し、有線か無線かを問わず構内音声交換システム１３５に接続可能な構成とされている。携帯通信端末１１０はＩＥＥＥ８０２.１１、８０２.１５.３、８０２.１６よりも一般的なＩＥＥＥ８０２.１５.１（Bluetooth）として標準化されている短距離無線通信可能な構成であり、携帯電話ネットワーク内音声交換システム１２５に接続可能である。また、携帯通信端末１１０はクライアント端末（ＰＣ）１４０で使用している音声通話ソフトの周辺機器として動作する。なお、クライアント端末（ＰＣ）１４０もＩＥＥＥ８０２.１５.１（Bluetooth）として標準化されている短距離無線通信可能な構成である。
【００１４】
本実施例では、音声通信ソフトの音声交換システムへの認証という意味では、ローミングの一方における携帯通信端末１１０の認証が直接クライアント端末（ＰＣ）１４０との接続のみとなり、サーバを介さない簡易なローミングを提供する。携帯通信端末１１０内に含まれる音声通話ソフトの、携帯電話ネットワーク内音声交換システム１２５に対する認証から無線ネットワーク内交換システムに対する認証への認証変換ではないが、本明細書ではローミングという表現を用いる。
【００１５】
クライアント端末（ＰＣ）１４０は、対応する携帯通信端末１１０を検知し、クライアント端末（ＰＣ）１４０のハンドセット（外部マイク及びスピーカ）として接続するようＩＥＥＥ８０２.１５.１（Ｂｌｕｅｔｏｏｔｈ）プロトコルによる無線信号を送出すると同時に、構内音声交換システム１３５へ携帯通信端末１１０の招待状況情報を送信する。構内音声交換システム１３５は、公衆通信網（ＰＳＴＮ）２００を介し、携帯電話ネットワーク内音声交換システム１２５へ、携帯通信端末１１０へのクライアント端末（ＰＣ）１４０からの接続招待状況情報を送信し、携帯電話ネットワーク内通話のローミングを要求する。
【００１６】
携帯電話ネットワーク内音声交換システム１２５は、該当携帯電話端末１１０の通話状況を検出し、通話を構内音声交換システム１３５へローミングする。構内音声交換システム１３５は、通話のローミング先をクライアント端末（ＰＣ）１４０に指定する。クライアント端末（ＰＣ）１４０はローミングが完了した旨の情報を携帯通信端末１１０へ送信する。携帯通信端末１１０は、ローミング完了情報を受け、クライアント端末（ＰＣ）１４０への接続を承認し、これと同時に、携帯電話ネットワーク内音声交換システム１２５へ接続切断を要求する。携帯電話ネットワーク内音声交換システム１２５は該当する通話を切断する。携帯通信端末１１０は、携帯電話ネットワークを介して実現していた通話を、クライアント端末（ＰＣ）１４０及び構内音声交換システム１３５を介して継続する。
【００１７】
次に、本実施例の動作について図２のシーケンス図を併せ参照して説明する。なお、図２のシーケンス図において、携帯通信端末１１０が左右の２箇所に図示してあるのは、公衆通信網２００を介する場合と介さない場合の通信回線を便宜上、区別するためである。
【００１８】
まず、クライアント端末（ＰＣ）１４０は有線、無線を問わず、構内音声交換システム１３５に対応した音声通話ソフトを使用し、構内音声交換システム１３５へ接続する（ステップＳ１）。一方、携帯通信端末１１０は携帯電話ネットワーク内音声交換システム１２５へ接続する（ステップＳ２）。その後、携帯電話ネットワーク内音声交換システム１２５は、公衆網２００を介して図示しない相手端末と携帯通信端末１１０との通話回線を確立して通話を開始させる。
【００１９】
続いて、クライアント端末１４０はＩＥＥＥ８０２.１５.１（Ｂｌｕｅｔｏｏｔｈ）プロトコルによる無線信号の送受信圏内に、Ｂｌｕｅｔｏｏｔｈ対応の対応する携帯通信端末１１０が在圏したことを検知すると、クライアント端末１４０のハンドセット（外部マイク及びスピーカ）として接続するようＩＥＥＥ８０２.１５.１プロトコルによる無線信号を携帯通信端末１１０に送信し（ステップＳ３）、これと同時に、構内音声交換システム１３５へ携帯通信端末１１０を検知し接続要求を行っている旨を送信する（ステップＳ４）。
【００２０】
構内音声交換システム１３５は、上記の接続要求を受信すると、公衆通信網２００を介し、携帯電話ネットワーク内音声交換システム１２５へ、携帯通信端末１１０へのクライアント端末１４０からの接続招待状況情報を送信し（ステップＳ５）、携帯電話ネットワーク１２０内通話のローミングを要求する。
【００２１】
携帯電話ネットワーク内音声交換システム１２５は、上記の接続招待状況情報を受信すると、該当携帯電話端末１１０の通話状況を検出し、通話を構内音声交換システム１３５へローミングする（ステップＳ６）。これにより、構内音声交換システム１３５は、通話のローミング先をクライアント端末１４０へ指定する（ステップＳ７）。このローミング先の指定はクライアント端末１４０内音声通話ソフトにより、携帯通信端末１１０内の音声通話ソフトへ通知され、ローミングが携帯通信端末１１０内音声通話ソフトから、クライアント端末１４０内音声通話ソフトへと行われる（ステップＳ８）。
【００２２】
このローミングが完了すると、クライアント端末１４０はローミングが完了した旨の情報をＩＥＥＥ８０２.１５.１プロトコルにより携帯通信端末１１０へ無線送信し、再度接続要求を行う（ステップＳ９）。携帯通信端末１１０は、このローミング完了情報を受信すると、クライアント端末１４０への接続を承認する（ステップＳ１０）。これにより、携帯通信端末１１０はクライアント端末１４０のハンドセット（外部マイク及びスピーカ）となり、擬似的に携帯通信端末１１０のみでのローミング状態となる。
【００２３】
携帯通信端末１１０は、上記ローミング状態となったことを受け、携帯電話ネットワーク内音声交換システム１２５へ接続切断を要求する（ステップＳ１１）。これにより、携帯電話ネットワーク内音声交換システム１２５は、それまで継続していた、公衆網２００を介して図示しない相手端末と携帯通信端末１１０との通話回線を切断する（ステップＳ１２）。
【００２４】
以後、携帯通信端末１１０は、相手端末と公衆網２００、構内音声交換システム１３５及びクライアント端末１４０を介して通話回線が確立され、それまで携帯電話ネットワーク１２０を介して実現していた相手端末との通話を継続する（ステップＳ１３）。ローミング後の通話では、携帯通信端末１１０はクライアント端末１４０のハンドセット（外部マイク及びスピーカ）となって通話することとなるが、このときは携帯通信端末１１０とクライアント端末１４０との間では、前述したＩＥＥＥ８０２.１５.１プロトコルによる無線通信が行われる。
【００２５】
このように、本実施例によれば、ブルーツースによる短距離無線通信技術を利用し、携帯通信端末１１０をクライアント端末１４０で使用している音声通信ソフトの周辺機器として動作するようにしたため、携帯通信端末１１０には特別な音声通話ソフトをインストールすることなく、また、携帯通信端末１１０にクライアント端末１４０とは別個の内線番号を持たせることなく、携帯電話ネットワーク１２０から構内ネットワーク１３０へのローミングを実現することができる。
【００２６】
また、本実施例によれば、ブルーツースによる短距離無線通信技術と、音声交換システムへの認証手段としてのクライアント端末１４０を組み合わせることで、携帯通信端末１１０からの認証変換を容易にすることができるため、ローミングされる携帯通信端末１１０の選択に限定がなくなる（特定の携帯通信端末でしかローミング機能を実現できないという制約がなくなる。）。
【００２７】
なお、本発明は以上の実施例に限定されるものではなく、例えば、クライアント端末１４０が、上記のステップＳ１、Ｓ３、Ｓ４、Ｓ７、Ｓ８、Ｓ９を実行する音声通信用プログラム（音声通信ソフト）も本発明に含まれるものである。
【図面の簡単な説明】
【００２８】
【図１】本発明の音声通信システムの一実施例のシステム構成図である。
【図２】図１の動作説明用シーケンス図である。
【符号の説明】
【００２９】
１１０  携帯通信端末
１２０  携帯電話ネットワーク
１２５  携帯電話ネットワーク内音声交換システム
１３０  構内ネットワーク
１３５  構内音声交換システム
１４０  クライアント端末（ＰＣ）
２００  公衆通信網
【図１】
2008306415.tif 000003
【図２】
2008306415.tif 000004